(57)【要約】【課題】データと共にデータを処理するプログラムについて出力、受信の少なくとも一方を行う装置を提供する。【解決手段】データ受け渡しシステムは、プログラムが記載された実行部Ｐｒを有する元情報Ｉｎを二次元バーコードＢａに変換する第１変換部と、変換した二次元バーコードＢａを表示する表示部１４０とを有する出力装置を備える。表示された二次元バーコードＢａを撮像する撮像部と、撮像された二次元バーコードＢａを元情報Ｉｎに変換する第２変換部と、変換した元情報Ｉｎが有する実行部Ｐｒに記載されたプログラムを実行する制御部とを有する受信装置を備える。【選択図】図３
2007166487.tif 000002
【特許請求の範囲】
【請求項１】
プログラムが記載された実行部を有する元情報をバーコードに変換する第１変換部と、前記変換したバーコードを表示する表示部とを有する出力装置と、
前記表示されたバーコードを撮像する撮像部と、前記撮像されたバーコードを前記元情報に変換する第２変換部と、変換した前記元情報が有する実行部に記載されたプログラムを実行する制御部とを有する受信装置とを備えるデータ受け渡しシステム。
【請求項２】
前記出力装置、及び前記受信装置は携帯電話であることを特徴とする請求項１に記載のデータ受け渡しシステム。
【請求項３】
前記実行部に記載されたプログラムは、アスキーコードで構成されることを特徴とする請求項１に記載のデータ受け渡しシステム。
【請求項４】
前記実行部に記載されたプログラムは、バイナリーコードで構成された機械語がアスキーコードに変換されたもの、スクリプト、マクロのいずれかで構成されることを特徴とする請求項３に記載のデータ受け渡しシステム。
【請求項５】
前記元情報は、前記実行部に記載されたプログラムが、前記バイナリーコードで構成された機械語がアスキーコードに変換されたもの、前記スクリプト、前記マクロのいずれかであることを前記受信装置が特定する識別部を有することを特徴とする請求項４に記載のデータ受け渡しシステム。
【請求項６】
前記プログラムは、前記出力装置において指定した電話番号またはメールアドレスに基づいて、前記受信装置が発信を行う処理であることを特徴とする請求項１に記載のデータ受け渡しシステム。
【請求項７】
前記プログラムは、前記出力装置において指定したプロファイルデータを、前記受信装置の電話帳に登録する処理であることを特徴とする請求項１に記載のデータ受け渡しシステム。
【請求項８】
前記プログラムは、前記出力装置において指定したウェブページに、前記受信装置がアクセスしてデータをダウンロードする処理であることを特徴とする請求項１に記載のデータ受け渡しシステム。
【請求項９】
前記受信装置は、前記元情報を記録する記録部を有することを特徴とする請求項１に記載のデータ受け渡しシステム。
【請求項１０】
受信装置で実行可能なプログラムが記載された実行部を有する元情報を前記受信装置で読み取り可能なバーコードに変換する変換部と、前記変換したバーコードを表示する表示部とを備える出力装置。
【請求項１１】
プログラムが記載された実行部を有する元情報に基づくバーコードを撮像する撮像部と、前記撮像されたバーコードを前記元情報に変換する変換部と、変換した前記元情報が有する実行部に記載されたプログラムを実行する制御部とを備える受信装置。
【発明の詳細な説明】
【技術分野】
【０００１】
本発明は、データ受け渡しシステムに関し、特にバーコードを使ったデータ出力を行うシステムに関する。
【背景技術】
【０００２】
無線通信手段を使って、住所、電話番号などの情報を機器から機器への送信が提案されている。
【０００３】
特許文献１は、赤外線通信などによって、名刺情報を送受信する装置を開示する。
【特許文献１】特開２００１−２２９３５１号公報
【発明の開示】
【発明が解決しようとする課題】
【０００４】
しかし、特許文献１の装置において送受信するのはデータのみであり、受信後にデータを処理する手段については、データ送受信とは別に受信装置側で用意する必要があった。
【０００５】
したがって本発明の目的は、データと共にデータを処理するプログラムについて出力、受信の少なくとも一方を行う装置を提供することである。
【課題を解決するための手段】
【０００６】
本発明に係るデータ受け渡しシステムは、プログラムが記載された実行部を有する元情報をバーコードに変換する第１変換部と、変換したバーコードを表示する表示部とを有する出力装置と、表示されたバーコードを撮像する撮像部と、撮像されたバーコードを元情報に変換する第２変換部と、変換した元情報が有する実行部に記載されたプログラムを実行する制御部とを有する受信装置とを備える。
【０００７】
好ましくは、出力装置、及び受信装置は携帯電話である。
【０００８】
また、好ましくは、実行部に記載されたプログラムは、アスキーコードで構成される。
【０００９】
さらに好ましくは、実行部に記載されたプログラムは、バイナリーコードで構成された機械語がアスキーコードに変換されたもの、スクリプト、マクロのいずれかで構成される。
【００１０】
さらに好ましくは、元情報は、実行部に記載されたプログラムが、バイナリーコードで構成された機械語がアスキーコードに変換されたもの、スクリプト、マクロのいずれかであることを受信装置が特定する識別部を有する。
【００１１】
また、好ましくは、プログラムは、出力装置において指定した電話番号またはメールアドレスに基づいて、受信装置が発信を行う処理である。
【００１２】
また、好ましくは、プログラムは、出力装置において指定したプロファイルデータを、受信装置の電話帳に登録する処理である。
【００１３】
また、好ましくは、プログラムは、出力装置において指定したウェブページに、受信装置がアクセスしてデータをダウンロードする処理である。
【００１４】
また、好ましくは、受信装置は、元情報を記録する記録部を有する。
【００１５】
本発明に係る出力装置は、受信装置で実行可能なプログラムが記載された実行部を有する元情報を受信装置で読み取り可能なバーコードに変換する変換部と、変換したバーコードを表示する表示部とを備える。
【００１６】
本発明に係る受信装置は、プログラムが記載された実行部を有する元情報に基づくバーコードを撮像する撮像部と、撮像されたバーコードを元情報に変換する変換部と、変換した元情報が有する実行部に記載されたプログラムを実行する制御部とを備える。
【発明の効果】
【００１７】
以上のように本発明によれば、データと共にデータを処理するプログラムについて出力、受信の少なくとも一方を行う装置を提供することができる。
【発明を実施するための最良の形態】
【００１８】
以下、本実施形態について、図を用いて説明する。本実施形態における受け渡しシステムは、出力装置１００、受信装置２００とを備える（図１参照）。本実施形態では、出力装置１００、受信装置２００はいずれも携帯電話であるとして説明する。なお、図１、図３に表示された二次元バーコードＢａは、二次元バーコードの具体的な図を表すために使用するが、二次元バーコードの内容は本実施形態と関係しない。
【００１９】
出力装置１００は、第１操作部１１０、第１記録部１２０、第１変換部１３０、第１表示部１４０、及び第１制御部１９０とを有する（図２参照）。
【００２０】
第１操作部１１０は、電話番号などを入力するテンキーなどの入力手段である。使用者が第１操作部１１０を操作することによって、受信装置２００に送信する元情報Ｉｎが作成される。元情報Ｉｎは、アスキーコードで構成され、受信装置２００で特定の処理を実行するプログラムが記載された実行部Ｐｒ、及びプログラムの形式を受信装置２００の第２制御部２９０が特定する識別部Ｄｉを有する（図３の元情報表示画面参照）。図３の元情報表示画面では、スクリプト形式の実行部Ｐｒの内容が、“前部Ｄｉｆ”＜ｓｃｒｉｐｔ＞“と、後部Ｄｉｒ”＜／ｓｃｒｉｐｔ＞“の間に表される（＜ｒｅｇｉｓｔ＞＜ｎａｍｅ＞山田花子＜／ｎａｍｅ＞＜ｒｕｂｙ＞ヤマダハナコ＜／ｒｕｂｙ＞＜ｔｅｌ＞０９０−ＸＸＸＸ−ＹＹＹＹ＜／ｔｅｌ＞＜ｍａｉｌ＞ＡＢＣＤ＠ｅｆ．ｃｏ．ｊｐ＜／ｍａｉｌ＞＜ｎｏｒｔｈ  ｌａｔｉｔｕｄｅ＞３５，３１，３７，２９５＜／ｎｏｒｔｈ  ｌａｔｉｔｕｄｅ＞＜ｅａｓｔ  ｌｏｎｇｉｔｕｄｅ＞１３９，３８，４７，１５０＜／ｅａｓｔ  ｌｏｎｇｉｔｕｄｅ＞＜／ｒｅｇｉｓｔ＞）。
【００２１】
実行部Ｐｒに記載されたプログラムは、マクロ、スクリプト、又は機械語がアスキーコードに変換されたもののいずれかで構成される。本実施形態では、マクロは、受信装置２００における操作を文字列化して再現可能な状態にしたものと定義し、スクリプトは、マクロ以外で、受信装置２００において実行結果を得るための命令の集合体の文字列と定義する。特定の処理を実行するプログラムは、出力装置１００において指定した電話番号やメールアドレスに基づいて、受信装置２００において発信を行う処理、出力装置１００において指定した氏名と氏名に対応する電話番号などのプロファイルデータを受信装置２００の電話帳に登録する処理、出力装置１００において指定したウェブページにアクセスしてデータをダウンロードする処理など、出力装置１００で指定した内容に基づいて受信装置２００で実行する処理である。
【００２２】
プログラムが記載された実行部Ｐｒは、プログラムの一部として、処理において使用されるコンテンツに対応する施設名称などの情報を有しても良い。
【００２３】
実行部Ｐｒの内容の具体例を説明する。受信装置２００において施設名称に対応する電話番号：０３−１２３４−５６７８を発信させる場合、スクリプト形式では“＜ｎａｍｅ＞施設名称の電話番号＜／ｎａｍｅ＞＜ｔｅｌｔｏ＞０３−１２３４−５６７８＜／ｔｅｌｔｏ＞”と表される。発信する電話番号だけでなく、処理において使用されるコンテンツ（電話番号）に対応する情報（施設名称）を記載しておくと、撮像部２５０で撮像後すぐに実行部Ｐｒに基づくプログラムを実行せず、その後に第２記録部２２０から元情報Ｉｎを読み出して実行部Ｐｒに基づくプログラムを実行する場合に、容易にプログラムの実行処理において使用されるコンテンツに対応する相手を特定することが可能になる。
【００２４】
マクロ形式の場合では、実行部Ｐｒの内容は、“ＢＤ０，ＢＤ３，ＢＤ１，ＢＤ２，ＢＤ３，ＢＤ４，ＢＤ５，ＢＤ６，ＢＤ７，ＢＤ８，ＯＨ”と表される。ＢＤはボタン押下で続く文字を押した時の動作（ボタンダウン）を表し、ＯＨはオンフック状態の動作を表す。各動作の間はカンマ（，）を有する。
【００２５】
プログラムの手順が単純な場合は、マクロによってプログラムを構成するので十分であるが、手順が複雑な場合は、スクリプトまたは機械語でプログラムを構成するのが望ましい。機械語の場合、複雑な手順を実行させることが可能であるが、機種依存性が高く、受信装置２００の機種に対応する機械語を用意する必要がある。スクリプトの場合、規格を制定することにより機種依存性を無くすことが可能であり制作も簡素化出来るが、規格に基づいて受信装置２００に実装するスクリプト解析プログラム（スクリプト翻訳ツール）を開発する必要がある。マクロの場合、ＢＤやＯＨのようなキーの操作を割り当てるため実装のための工数は少なくて済むが、キー操作手順は受信装置２００ごとに異なるため、機種依存性が高い。
【００２６】
実行部Ｐｒに記載されたプログラムは、第１制御部１９０によって作成される。プログラムで処理する種類、処理において使用される電話番号などのコンテンツは、使用者が第１操作部１１０を操作することにより特定される。第１制御部１９０は、第１操作部１１０の操作により特定された処理の種類、コンテンツに対応したプログラムを作成する。第１制御部１９０は、機械語のプログラム形式で記載されたプログラムを作成する場合は、バイナリーコードの機械語がアスキーコードに変換された状態で、実行部Ｐｒが作成される。
【００２７】
プログラムの処理において使用される電話番号などのコンテンツは、第１操作部１１０を操作してテキスト形式の情報を入力することにより作成してもよいが、第１操作部１１０を操作して予め第１記録部１２０など出力装置１００に記録された情報に基づいて使用する項目を入力（選択）し、必要な項目に対応する情報をテキスト形式のデータに変換することによって作成してもよい（図３の入力画面、及び項目確認画面参照）。
【００２８】
識別部Ｄｉは、実行部Ｐｒの前に記載されプログラムの形式を特定する前部Ｄｉｆと、実行部Ｐｒの後に記載されプログラムの記述が終了したことを特定する後部Ｄｉｒを有する（図３の元情報表示画面参照）。本実施形態では、実行部Ｐｒに記載されたプログラムがマクロの場合は、前部Ｄｉｆに“＜ｍａｃｒｏ＞”と記載され、後部Ｄｉｒに“＜／ｍａｃｒｏ＞”と記載される。実行部Ｐｒに記載されたプログラムがスクリプトの場合は、前部Ｄｉｆに“＜ｓｃｒｉｐｔ＞”と記載され、後部Ｄｉｒに“＜／ｓｃｒｉｐｔ＞”と記載される。実行部Ｐｒに記載されたプログラムが機械語の場合は、前部Ｄｉｆに“＜ｍａｃｈｉｎｅ＞”と記載され、後部Ｄｉｒに“＜／ｍａｃｈｉｎｅ＞”と記載される。
【００２９】
第１記録部１２０は、氏名又は施設名称に対応するコンテンツ（電話番号など）をプロファイルとして記録する。第１変換部１３０は、元情報Ｉｎを二次元バーコードＢａに変換する。第１表示部１４０は、プログラムにおける処理の種類、及びプロファイルから元情報Ｉｎとして必要な項目を入力する入力画面（図３の入力画面参照）、入力した項目の確認画面（図３の項目確認画面参照）、受信装置２００に送信する元情報Ｉｎの確認画面（図３の元情報表示画面参照）、及び二次元バーコードＢａを表示する。第１制御部１９０は、各部の制御を行うＣＰＵまたはＤＳＰなどの演算処理装置である。
【００３０】
受信装置２００は、第２操作部２１０、第２記録部２２０、第２変換部２３０、第２表示部２４０、撮像部２５０、及び第２制御部２９０とを有する。
【００３１】
撮像部２５０は、出力装置１００の第１表示部１４０に表示された二次元バーコードＢａを撮像する。撮像により得られた二次元バーコードＢａは、第２変換部２３０によって、元情報Ｉｎに変換される。第２操作部２１０は、電話番号などを入力するテンキーなどの入力手段であり、使用者による各部の動作指示のための操作に使用される。第２記録部２２０は、変換された元情報Ｉｎを記録する。スクリプトのプログラム形式で記載されたプログラムを実行するのに使用されるスクリプト翻訳ツールは、第２記録部２２０にインストールされる。第２表示部２４０は、二次元バーコードから変換した元情報Ｉｎの確認画面を表示する（図３のプロファイル確認画面参照）。
【００３２】
第２制御部２９０は、各部の制御を行うＣＰＵまたはＤＳＰなどの演算処理装置であり、特に元情報Ｉｎの識別部Ｄｉでプログラム形式、及び実行部Ｐｒの領域を判別し、元情報Ｉｎの実行部Ｐｒに記載されたプログラムを読み込んで実行する。第２制御部２９０は、機械語のプログラム形式で記載されたプログラムを実行する際に、アスキーコードに変換された実行部Ｐｒのプログラムを、バイナリーコードで構成される機械語に変換する。
【００３３】
出力装置１００において元情報Ｉｎが作成され、二次元バーコードＢａが第１表示部１４０に表示されるまでの流れを図４のフローチャートを用いて説明する。また、第１表示部１４０に表示された二次元バーコードＢａを撮像し、元情報Ｉｎに基づいて受信装置２００でプログラムが実行されるまでの流れを図５のフローチャートで説明する。図４、図５のフローチャートでは、例として、出力装置１００においてプロファイルが登録された人の氏名：山田花子、フリガナ：ヤマダハナコ、電話番号：０９０−ＸＸＸＸ−ＹＹＹＹ、住所：＊＊市＊＊区＊＊町、Ｅ−ｍａｉｌアドレス（１）：ＡＢＣＤ＠ｅｆ．ｃｏ．ｊｐ、Ｅ−ｍａｉｌアドレス（２）：ＨＩＪＫ＠ｌｍ．ｎｅ．ｊｐ、緯度：北緯３５度３１分３７秒２９５、経度：東経１３９度３８分４７秒１５０で構成されるプロファイルのうち、氏名、フリガナ、電話番号、Ｅ−ｍａｉｌアドレス（１）、緯度、経度に関する情報を受信装置２００に送り、受信装置２００の電話帳に登録する形態を説明する（図３〜図５参照）。
【００３４】
ステップＳ１１で、使用者により送信する元情報Ｉｎを構成する内容が入力される（図４参照）。具体的には、プログラム処理の種類、プログラム処理で使用するコンテンツ、及びプログラムの形式が入力される。本実施形態では、指定したコンテンツ（氏名及び電話番号など）を受信装置２００の電話帳に登録するタイプのプログラムが選択されたとして説明する。プログラム処理の種類が選択されると、第１表示部１４０に氏名または施設名称に対応するプロファイルが表示され、その中で、第１操作部１１０を使って、元情報Ｉｎを構成するコンテンツとして送信する項目が使用者により入力（選択）される。本実施形態では、電話帳登録する項目として氏名、フリガナ、電話番号、Ｅ−ｍａｉｌアドレス（１）、緯度、及び経度が選択され、これらの項目に“登録”印がプロファイル画面の上に表示される。また、電話帳登録しない項目として住所、及びＥ−ｍａｉｌアドレス（２）が選択され、これらの項目に“非登録”印がプロファイル画面の上に表示される（図３の入力画面参照）。本実施形態では、プログラム形式は、スクリプトが選択される。
【００３５】
ステップＳ１１において、受信装置２００の機種毎に異なるプログラムを作成する必要があるプログラム処理の場合は、受信装置２００の機種名についても使用者により入力される。本実施形態では、受信装置２００の機種名について入力する必要はない。また、例えば、指定した電話番号を、受信装置２００において発信させるプログラム処理のように、共通したキー操作だけで構成される処理の場合にも、受信装置２００の機種名を特定する必要はない。
【００３６】
ステップＳ１２で、ステップＳ１１において入力された内容に基づいて、元情報Ｉｎに記載される実行部Ｐｒが作成される。プログラム形式として機械語が選択された場合には、バイナリーコードで構成される機械語が作成された後にアスキーコードに変換されて実行部Ｐｒが作成される。なお、実行部Ｐｒを作成する前に、入力された内容を確認するプログラム作成項目作成画面（図３の項目確認画面参照）が、第１表示部１４０に表示される。ステップＳ１３で、識別部Ｄｉが作成され、実行部Ｐｒの前に前部Ｄｉｆが、実行部Ｐｒの後に後部Ｄｉｒが付加され、元情報Ｉｎが作成される。
【００３７】
ステップＳ１４で、第１変換部１３０により、元情報Ｉｎが二次元バーコードＢａに変換される。ステップＳ１５で、第１表示部１４０に、二次元バーコードＢａが表示される（図３の二次元バーコード表示画面参照）。
【００３８】
ステップＳ３１で、受信装置２００の撮像部２５０によって、第１表示部１４０に表示された二次元バーコードＢａが撮像される（図５参照）。ステップＳ３２で、第２変換部２３０によって、二次元バーコードＢａがアスキーコードで構成された元情報Ｉｎに変換される。変換された元情報Ｉｎは、第２記録部２２０に記録される。ステップＳ３３で、元情報Ｉｎが有する識別部Ｄｉが読み取りされる。前部Ｄｉｆはプログラムの形式を特定するために、後部Ｄｉｒはプログラムが記載された領域を特定するために使用される。
【００３９】
ステップＳ３４で、読み取りされた識別部Ｄｉの内容に基づいて、プログラムの形式が機械語であるか否かが判断される。機械語である場合は、ステップＳ３５で、第２制御部２９０によって、アスキーコードで構成された元情報Ｉｎが有する実行部Ｐｒのプログラムがバイナリーコードに変換される。ステップＳ３６でバイナリーコードに変換されたプログラムが実行される。機械語でない場合は、ステップＳ３７に進められる。
【００４０】
ステップＳ３７で、読み取りされた識別部Ｄｉの内容に基づいて、プログラムの形式がスクリプトであるか否かが判断される。スクリプトである場合は、ステップＳ３８で、アスキーコードで構成された元情報Ｉｎが有する実行部Ｐｒのプログラムがスクリプト翻訳ツール上で実行される。スクリプトでない場合はステップＳ３９に進められる。
【００４１】
ステップＳ３９で、読み取りされた識別部Ｄｉの内容に基づいて、プログラムの形式がマクロであるか否かが判断される。マクロである場合は、ステップＳ４０で、アスキーコードで構成された元情報Ｉｎが有する実行部Ｐｒのプログラムであるマクロが実行される。マクロでない場合は、ステップＳ４１で、元情報Ｉｎが第２表示部２４０に表示される。
【００４２】
ステップＳ３６、Ｓ３８、及びＳ４０のいずれかで実行部Ｐｒのプログラムが実行されることにより、氏名：山田花子、フリガナ：ヤマダハナコ、電話番号：０９０−ＸＸＸＸ−ＹＹＹＹ、Ｅ−ｍａｉｌアドレス：ＡＢＣＤ＠ｅｆ．ｃｏ．ｊｐ、緯度：北緯３５度３１分３７秒２９５、及び経度：東経１３９度３８分４７秒１５０の項目が受信装置２００の電話帳に登録される（図３のプロファイル確認画面参照）。
【００４３】
ステップＳ３６、Ｓ３８、及びＳ４０のいずれかで実行部Ｐｒのプログラムが実行される前に、実行してもよいか否かを選択する画面表示を第２表示部２４０で行っても良い（不図示）。実行しても良い場合には、ステップＳ３６、Ｓ３８、及びＳ４０のいずれかで実行部Ｐｒのプログラムが実行される。実行しない場合は、プログラムを実行せずに終了する。
【００４４】
ステップＳ３２において、元情報Ｉｎが第２記録部２２０に記録されているので、記録された元情報Ｉｎを使ってプログラムを実行させる場合は、再度ステップＳ３１、Ｓ３２の動作を行う必要がなく、記録された元情報Ｉｎを第２記録部２２０から読み出した後、ステップＳ３３以降の手順を進めることが可能である。
【００４５】
元情報Ｉｎの実行部Ｐｒが有するプログラムが実行されることにより、出力装置１００が有していた電話番号などのコンテンツに基づく特定の処理を受信装置２００で行うことが可能になる。二次元バーコードＢａを介して、出力装置１００の出力から電話番号などのコンテンツと共にそのコンテンツを処理するプログラムを受信することが出来るので、受信装置２００は、マクロ等のプログラムが実行できる環境を用意しておくだけで、予めプログラムをインストールしておく必要がない。
【００４６】
また、受信装置２００へのデータ受け渡しは、ＩｒＤＡやＢｌｕｅｔｏｏｔｈを使った元情報Ｉｎを送る手段も考えられるが、出力装置１００と受信装置２００で通信プロトコルを統一させる必要があり、通信事業者が異なる場合には実施できない場合がある。また、電話回線を使い、電子メールなどを使って送信する手段の場合は、通信コストがかかる問題がある。本実施形態は、通信事業者が異なる場合であっても、実施可能であるし、且つ通信コストもかからない。
【００４７】
また、出力装置１００の第１表示部１４０と、受信装置２００の撮像部２５０の間は、数ｃｍの距離を保つ必要があり、その間で第三者に情報が傍受されるおそれは少ない。
【００４８】
本実施形態では、バーコードはいずれも二次元バーコードであるとして説明したが、元情報Ｉｎの内容が、バーコードが変換できるだけの容量である限り他のバーコード形式であってもよい。
【図面の簡単な説明】
【００４９】
【図１】本実施形態における出力装置、受信装置の構成図である。
【図２】出力装置、受信装置のブロック図である。
【図３】第１表示部、第２表示部で表示される内容を示す図である。
【図４】出力装置で二次元バーコードを表示する流れを示すフローチャートである。
【図５】受信装置でプログラムを実行する流れを示すフローチャートである。
【符号の説明】
【００５０】
１００  出力装置
１１０  第１操作部
１２０  第１記録部
１３０  第１変換部
１４０  第１表示部
１９０  第１制御部
２００  受信装置
２１０  第２操作部
２２０  第２記録部
２３０  第２変換部
２４０  第２表示部
２５０  撮像部
２９０  第２制御部
Ｄｉ  識別部
Ｄｉｆ、Ｄｉｒ  前部、後部
Ｉｎ  元情報
Ｐｒ  実行部
【図１】
2007166487.tif 000003
【図２】
2007166487.tif 000004
【図３】
2007166487.tif 000005
【図４】
2007166487.tif 000006
【図５】
2007166487.tif 000007